(57)【要約】    【課題】  空気吸込み渦の発生を抑制し、より低水位迄安定して流体を吸込むことができる様にする。    【解決手段】  流路６を開閉する扉体１５に複数の水中ポンプ１６が設けられたポンプゲート８に於いて、前記扉体が前記流路を閉鎖し前記水中ポンプの少なくとも１つが運転されている状態で発生する渦の、渦発生箇所の水面下方に渦が成長して形成される空気吸込み渦を遮断する様に横渦防止板３７が設けられた。    【選択図】          図１
2005290972.tif 000002
【特許請求の範囲】
【請求項１】
流路を開閉する扉体に複数の水中ポンプが設けられたポンプゲートに於いて、前記扉体が前記流路を閉鎖し前記水中ポンプの少なくとも１つが運転されている状態で発生する渦の、渦発生箇所の水面下方に渦が成長して形成される空気吸込み渦を遮断する様に横渦防止板が設けられたことを特徴とするポンプゲート。
【請求項２】
前記横渦防止板は、前記水中ポンプと水中ポンプとの間に設けられた請求項１のポンプゲート。
【請求項３】
前記横渦防止板は、水平又は略水平に設けられた請求項１のポンプゲート。
【請求項４】
前記横渦防止板は、前記空気吸込み渦の発生範囲を横断する大きさを具備している請求項１のポンプゲート。
【請求項５】
前記水中ポンプが上流端に吸込みベルを有し、該吸込みベルの軸心は上流に向って下方に傾斜し、下方に向う吸込み口が形成されると共に側面部が開放され、該側面部はコーナ部を有し、前記空気吸込み渦は前記コーナ部に向って成長する様にし、前記横渦防止板はコーナ部の上方で前記空気吸込み渦の発生範囲を横断する様になっている請求項１のポンプゲート。
【請求項６】
吸込みベルの上流端は、該吸込みベルの最上部位より下方に位置すると共に前記横渦防止板は前記吸込みベルの最上部位よりも下方に設けられた請求項５のポンプゲート。
【請求項７】
渦の発生する箇所の流れを攪乱する正面渦防止板が設けられた請求項１のポンプゲート。
【請求項８】
前記正面渦防止板の水平に対する角度が０°〜９０°の範囲である請求項７のポンプゲート。
【請求項９】
前記正面渦防止板は、前記吸込みベル上面の傾斜方向に対して逆方向に傾斜している請求項８のポンプゲート。
【請求項１０】
流路を開閉する扉体に複数の水中ポンプが設けられたポンプゲートに於いて、該ポンプゲートの下流側の水位を検出する下流側水位計と、前記ポンプゲートの上流側の水位を検出する上流側水位計と、前記両水位計の検出水位に基づき前記水中ポンプを駆動する制御装置とを具備し、前記ポンプゲートの閉鎖状態で上流側の水位が下流側より低く、空気吸込み渦の発生する水位を越えた水位で前記水中ポンプが運転され、空気吸込み渦の発生する水位以下で前記水中ポンプが停止されることを特徴とするポンプゲートの運転方法。
【発明の詳細な説明】
【技術分野】
【０００１】
本発明は水路を開閉する扉体に水中ポンプが設けられているポンプゲートに関するものである。
【背景技術】
【０００２】
本川に接続された支川には、本川の水位が支川の水位より高くなった場合の逆流を防止する為にゲートが設けられていると共に大雨等の場合に支川での氾濫を防止する為、支川側の水を本川側に吐出する為の水中ポンプが設けられているものがある。又、水中ポンプは水位が低下した場合も本川側に吐出できる様に、更にポンプの故障等不測の事体に対する安全性が考慮され、２台の水中ポンプが横に並設されている。
【０００３】
２台の水中ポンプが横に並設された従来のポンプゲートとしては、例えば特許文献１に示されるものがある。
【０００４】
ポンプゲートの水中ポンプの安定運転に要求される性能の１つに、より低水位での安定した水の吸込みがある。安定運転を阻害する要因として空気の吸込みがあり、空気を吸込んだ場合、振動の発生、或は水中ポンプの羽根の損傷等の要因となる虞れがある。
【０００５】
上記した特許文献１に係るポンプゲートは、斯かる要求を満足する為、図１７に見られる様に、流体を吸込む吸込み口１，２を流体表面に対して斜め下向きとし、吸込み口真上にある流体を吸込む流れを減速させることになり、渦の発生の抑止、空気の吸込みを防止し、流体を低水位迄安定して吸込むことができる様にしている。
【０００６】
然し乍ら、支川の水位が低水位となった場合、或は支川への流入流量が多くない場合は、２つの水中ポンプの内一方を運転し、他方は休止させるという稼働状態となる。この為、水中ポンプの吸込み口近傍の流体の流れに偏流を生じ、渦が発生し易い状態が発生する。
【０００７】
この為、上記ポンプゲートに於いても所定の水位以下となると図１７に見られる様に、空気吸込み渦３が発生し、空気を吸込む現象が発生していた。
【０００８】
【特許文献１】特開２００３−５５９４６号公報
【発明の開示】
【発明が解決しようとする課題】
【０００９】
本発明は斯かる実情に鑑み、空気吸込み渦の発生を抑制し、より低水位迄安定して流体を吸込むことができる様にするものである。
【課題を解決するための手段】
【００１０】
本発明は、流路を開閉する扉体に複数の水中ポンプが設けられたポンプゲートに於いて、前記扉体が前記流路を閉鎖し前記水中ポンプの少なくとも１つが運転されている状態で発生する渦の、渦発生箇所の水面下方に渦が成長して形成される空気吸込み渦を遮断する様に横渦防止板が設けられたポンプゲートに係り、又前記横渦防止板は、前記水中ポンプと水中ポンプとの間に設けられたポンプゲートに係るものである。
【００１１】
又本発明は、前記横渦防止板は、水平又は略水平に設けられたポンプゲートに係り、又前記横渦防止板は、前記空気吸込み渦の発生範囲を横断する大きさを具備しているポンプゲートに係るものである。
【００１２】
又本発明は、前記水中ポンプが上流端に吸込みベルを有し、該吸込みベルの軸心は上流に向って下方に傾斜し、下方に向う吸込み口が形成されると共に側面部が開放され、該側面部はコーナ部を有し、前記空気吸込み渦は前記コーナ部に向って成長する様にし、前記横渦防止板はコーナ部の上方で前記空気吸込み渦の発生範囲を横断する様になっているポンプゲートに係るものである。
【００１３】
又本発明は、吸込みベルの上流端は、該吸込みベルの最上部位より下方に位置すると共に前記横渦防止板は前記吸込みベルの最上部位よりも下方に設けられたポンプゲートに係るものである。
【００１４】
又本発明は、渦の発生する箇所の流れを攪乱する正面渦防止板が設けられたポンプゲートに係り、又前記正面渦防止板の水平に対する角度が０°〜９０°の範囲であるポンプゲートに係り、又前記正面渦防止板は、前記吸込みベル上面の傾斜方向に対して逆方向に傾斜しているポンプゲートに係るものである。
【００１５】
更に又本発明は、流路を開閉する扉体に複数の水中ポンプが設けられたポンプゲートに於いて、該ポンプゲートの下流側の水位を検出する下流側水位計と、前記ポンプゲートの上流側の水位を検出する上流側水位計と、前記両水位計の検出水位に基づき前記水中ポンプを駆動する制御装置とを具備し、前記ポンプゲートの閉鎖状態で上流側の水位が下流側より低く、空気吸込み渦の発生する水位を越えた水位で前記水中ポンプが運転され、空気吸込み渦の発生する水位以下で前記水中ポンプが停止されるポンプゲートの運転方法に係るものである。
【発明の効果】
【００１６】
本発明によれば、流路を開閉する扉体に複数の水中ポンプが設けられたポンプゲートに於いて、前記扉体が前記流路を閉鎖し前記水中ポンプの少なくとも１つが運転されている状態で発生する渦の、渦発生箇所の水面下方に渦が成長して形成される空気吸込み渦を遮断する様に横渦防止板が設けられたので、水面に発生した渦が成長して下方に延びるのを抑止し、空気吸込み渦が水中ポンプの吸込み口に達することを防止する。
【００１７】
又本発明によれば、渦の発生する箇所の流れを攪乱する正面渦防止板が設けられたので、定常的な渦の発生を防止する。
【００１８】
又本発明によれば、流路を開閉する扉体に複数の水中ポンプが設けられたポンプゲートに於いて、該ポンプゲートの下流側の水位を検出する下流側水位計と、前記ポンプゲートの上流側の水位を検出する上流側水位計と、前記両水位計の検出水位に基づき前記水中ポンプを駆動する制御装置とを具備し、前記ポンプゲートの閉鎖状態で上流側の水位が下流側より低く、空気吸込み渦の発生する水位を越えた水位で前記水中ポンプが運転され、空気吸込み渦の発生する水位以下で前記水中ポンプが停止されるので、低水位で水中ポンプが空気を吸込むことが防止されるという優れた効果を発揮する。
【発明を実施するための最良の形態】
【００１９】
以下、図面を参照しつつ本発明を実施する為の最良の形態を説明する。
【００２０】
先ず、図１に於いて、ポンプゲート設備についての概略を説明する。
【００２１】
図中、５は本川、６は支川（流路）又は水路（支川と称す）を示し、該支川６の前記本川５との合流口７にポンプゲート８が設けられ、該ポンプゲート８の上流にスクリーン装置９が設けられている。
【００２２】
前記ポンプゲート８について説明する。
【００２３】
前記合流口７に操作台１１が設けられ、該操作台１１にはゲート開閉装置１２、制御装置１３、本川用水位計１４が設けられ、前記ゲート開閉装置１２は前記制御装置１３によって駆動が制御され、前記本川用水位計１４で検出された前記本川５の水位は前記制御装置１３に送出される様になっている。該制御装置１３には、前記本川５の最高水位、最低水位、前記支川６の最高水位、最低水位が設定入力されており、これら設定値と、前記本川用水位計１４、後述する支川用水位計１７が検出する水位との比較で前記ゲート開閉装置１２、水中ポンプ１６（後述）の駆動停止を制御する様になっている。
【００２４】
又、前記合流口７を開閉する扉体１５が設けられ、該扉体１５は前記ゲート開閉装置１２に連結され、昇降可能となっている。前記扉体１５には前記水中ポンプ１６が２組並設されている。該水中ポンプ１６は前記制御装置１３によって駆動が制御される。
【００２５】
前記扉体１５の上流には、前記支川用水位計１７が設けられ、前記支川６の水位が検出されると共に検出された水位は前記制御装置１３に送出される様になっている。
【００２６】
前記スクリーン装置９は、上端を回転自在に支持されたスクリーン１８を具備し、該スクリーン１８は巻上げ装置１９にワイヤ２１により連結されており、前記巻上げ装置１９が前記ワイヤ２１を巻取り、或は繰出すことで、前記スクリーン１８が前記支川６から引上げられ、或は没水する様になっている。
【００２７】
図２は、前記水中ポンプ１６の断面図を示している。
【００２８】
前記扉体１５を貫通する様に円筒状のケーシング２２が設けられる。該ケーシング２２は水平な軸心を有し、該ケーシング２２にはポンプモータ２３が同心となる様に支持され、該ポンプモータ２３の先端（支川６の上流側）には羽根車２４が設けられている。又、前記ケーシング２２の上流端には吸込みベル２５が設けられ、該吸込みベル２５は上流側に向って下降する軸心を有している。
【００２９】
前記吸込みベル２５の上面部は、先端に向って下降する様延出する湾曲面によって形成され、少なくとも上面の上流端部は上流側に向って下降する様傾斜している。前記吸込みベル２５の下面部は前記上面部に比して短く、上流側に向って下降する様傾斜しており、前記上面部、前記下面部、及び該上面部、下面部に連続する側面部とにより斜め下方に向って開口する吸込み口２６が形成される。
【００３０】
尚、前記吸込みベル２５の上流端は前記ケーシング２２の最上部位、及び前記吸込みベル２５の上面湾曲面の最上部位より下方に位置しており、水位が低下し、前記ケーシング２２の上部、前記吸込みベル２５の上面部が水から露出しても前記吸込み口２６は水中に没している状態が保たれる様になっている。
【００３１】
又、前記吸込みベル２５の側面部は上流端側から大きく抉られ、該側面部には開口部２６ａが形成される。該開口部２６ａは最奥部にコーナ部２６ｂを有している。
【００３２】
前記吸込みベル２５は斜め下方に開口すると共に側面が開口されていることから、前記吸込み口２６は正面から水を吸込むと共に前記開口部２６ａの側方からも水を吸込む様になっており、特に側方から水を吸込む様にしたことで、正面から吸込む水の流速を低減し、渦の発生ができにくい様にしている。
【００３３】
前記ケーシング２２の下流端には逆止弁２７が設けられ、該逆止弁２７は上端が回転自在に支持され、前記本川５側からの水圧で、前記ケーシング２２の下流端の開口部を閉塞する様になっている。尚、前記逆止弁２７は吐出される水の圧力で開放される様になっている。
【００３４】
ポンプゲート設備の作動の概略を説明する。
【００３５】
前記スクリーン１８は漂流物等の異物が前記本川５或は前記水中ポンプ１６に流入しない様に前記支川６の水中に没水されている。
【００３６】
前記本川用水位計１４により前記本川５の水位が検出され、又前記支川用水位計１７により前記支川６の水位が検出され、検出結果はそれぞれ前記制御装置１３に送出される。該制御装置１３では、前記本川用水位計１４と、前記支川用水位計１７が検出した水位を比較し、前記本川５の水位が前記支川６の水位より高くなると、前記本川５から前記支川６への逆流を防止する為、前記ゲート開閉装置１２を駆動して、前記扉体１５を降下させ、前記合流口７を閉塞する。前記水中ポンプ１６を運転していない場合は、前記逆止弁２７が前記水中ポンプ１６の吐出口を閉塞している。
【００３７】
更に、前記本川５の水位が上昇し、前記本川用水位計１４が所定の水位を検出すると、前記ポンプゲート８が駆動し、前記扉体１５が閉じられる。更に、前記支川用水位計１７が最低水位以上であることを検出すると、前記制御装置１３により前記水中ポンプ１６が駆動され、該水中ポンプ１６により前記支川６側の水が前記本川５側に強制吐出される。
【００３８】
更に、前記支川用水位計１７が最低水位を検出すると、前記水中ポンプ１６が停止される。最低水位は空気吸込み渦３（図１７参照）が発生しない最も低い水位を言い、前記水中ポンプ１６は最低水位以上で運転される。
【００３９】
上記した様に、前記支川用水位計１７の水位が最低水位以下となると、渦の発生、空気の吸込みによって、前記水中ポンプ１６の安定運転が損われ、或は渦の影響による振動で該水中ポンプ１６が損傷する虞れがある。
【００４０】
ここで、空気の吸込みの原因となる、渦の発生について説明する。
【００４１】
本発明者は２つのポンプが並設されたポンプゲートに於いて、一方のポンプのみを運転した場合に渦が発生し易いことを確認し、又一方のポンプのみを運転した場合に発生する渦について解析した。
【００４２】
図３は、２組の水中ポンプ１６ａ，１６ｂの内、図中下側の該水中ポンプ１６ａが運転された場合の該水中ポンプ１６ａ，１６ｂ周辺に発生する平面的な流れ、及び平面的な流れに起因する渦を示し、図中破線で示す矢印は水流の底の流れ（以下底流と称す）２８，２９，３０を示し、実線で示す矢印は水流の表面の流れ（以下表流と称す）３２，３３を示している。
【００４３】
前記吸込み口２６の側方を通過した前記底流は下流側に流れ前記扉体１５に当り、該扉体１５に沿って流れ、一部の前記底流２８は前記水中ポンプ１６ａと水中ポンプ１６ｂ間を上流に向って流れ、図４中Ａ部で偏向した前記底流３０となり前記吸込み口２６から吸引される。又、前記水中ポンプ１６ａの下方を通過する前記底流２９は、前記支川６の側壁に沿って偏向し、上流に向って流れ、前記吸込み口２６より吸引される。
【００４４】
前記水中ポンプ１６ａと水中ポンプ１６ｂとの間の表面は上流に向って流れ、前記吸込みベル２５によって流路が狭められることから、該吸込みベル２５のＢ部（図４参照）に当って該吸込みベル２５，２５の間で図中時計方向に回転する。又、前記吸込み口２６の上流側からの前記表流３３が前記吸込みベル２５の上面、Ｃ部（図４参照）に当って左右に分れ、一部が前記吸込みベル２５，２５の間に流れ込む。この為、前記表流３２と前記表流３３によって渦３４が前記吸込みベル２５の側方に発生する。
【００４５】
尚、該渦３４の水面での発生範囲は、図７に示される如く、前記吸込みベル２５の上流端近傍より下流位置から前記ケーシング２２の先端部近傍迄となっている。
【００４６】
前記渦３４が成長すると前記底流３０との相乗作用で、水面から前記吸込み口２６に達する連続した空気吸込み渦となる。尚、前記吸込み口２６には側面部に前記開口部２６ａが形成されていることから、前記渦３４が発生し、前記空気吸込み渦３に成長する場合、該空気吸込み渦３は前記吸込み口２６側方の前記コーナ部２６ｂに向って延び、該コーナ部２６ｂに達する。前記渦３４が該コーナ部２６ｂ、即ち前記開口部２６ａに達した場合、該開口部２６ａからの空気の吸込みが発生する。
【００４７】
而して、前記渦３４が前記空気吸込み渦３に成長する範囲は、前記渦３４の水面での発生範囲と前記コーナ部２６ｂとを結ぶ略３角形の範囲となっている（図７参照）。
【００４８】
尚、図４中、３６Ｌは低水位の水面、３６Ｈは高水位の水面を示している。
【００４９】
次に、図５、図６により、吸込みベル２５の上流側の流れについて説明する。尚、図中、３６は水面を示している。
【００５０】
水位が高い状態では、前記吸込み口２６に吸込まれる流れと、前記吸込みベル２５の上面に沿って上昇する流れが発生する。ところが水位が低下すると、前記吸込みベル２５で流れが堰き止められるので、該吸込みベル２５の上側に淀み３５を生じ、更に前記吸込み口２６の上流端から該吸込み口２６に向って沈込む流れが発生するので、前記吸込みベル２５の上流端に図１７で示した様に、前記空気吸込み渦３が発生し、前記吸込み口２６からの空気の吸込みが発生する。
【００５１】
本発明では、上記した前記空気吸込み渦３の発生状況を考慮して、前記渦３４の成長、及び連続、持続性を抑制、防止する手段として、図９に示される様に前記水中ポンプ１６ａと水中ポンプ１６ｂ間に横渦防止板３７を設け、図１０、図１１に示される様に正面渦防止板３９を設ける。
【００５２】
先ず、図８〜図１１に於いて前記横渦防止板３７について説明する。
【００５３】
前記水中ポンプ１６ａの吸込みベル２５ａと前記水中ポンプ１６ｂの吸込みベル２５ｂ間に横渦防止板３７ａが設けられている。該横渦防止板３７ａは２分割構造であり、中央にスリット部３８ａが形成されている。又、前記横渦防止板３７ａは水平又は略水平に設けられる。
【００５４】
該横渦防止板３７ａの取付け位置は、前記支川６の底面から所要高さの位置、例えば前記ケーシング２２の中心線から２０ｍｍ程度上方、或は最低水位となった状態で水面から５０ｍｍ下方の位置であり、前記吸込みベル２５の上部、前記ケーシング２２の上部が露出した状態でも、水面下に没した状態となる。更に図８で示される様に、前記コーナ部２６ｂの上方に位置し、上述した前記渦３４が前記空気吸込み渦３に成長する範囲を横断する位置となっており、更に水平方向の長さは前記３角形の範囲を越えるものとなっている。
【００５５】
前記横渦防止板３７ａは、図示される様にパンチングメタル等の多孔板でもよく或は孔のない単なる平板であってもよい。
【００５６】
前記横渦防止板３７ａを設けることで、図３で示される水面での水の回転による前記表流３２，３３によって発生する前記渦３４が成長して下方に延びることが前記横渦防止板３７によって遮断され、前記底流３０との相乗作用を抑制する。
【００５７】
図１２、図１３は前記横渦防止板３７の他の例を示しており、図１２で示す横渦防止板３７ｂはスリット部３８ａがなく、一枚の横渦防止板３７ｂが前記吸込みベル２５ａと吸込みベル２５ｂ間に掛渡って設けられたものである。又図１３で示す横渦防止板３７ｃは、前記横渦防止板３７が吸込みベル２５の更に下流側に延びる延出部３８ｂを有しているものである。
【００５８】
いずれの場合も前記横渦防止板３７は、空気吸込み渦３の発生範囲を横断し、渦３４が前記空気吸込み渦３に成長するのを抑制するので、該空気吸込み渦３の発生が防止される。
【００５９】
次に、前記正面渦防止板３９について図９〜図１１に於いて説明する。
【００６０】
前記吸込みベル２５の上流端に前記正面渦防止板３９を、水平に対して所要の角度αを成す様に固着する。角度αは０°又は０°近傍から９０°迄の所要の角度、例えば７０°が選択される。前記正面渦防止板３９は、前記吸込みベル２５の上面先端部の傾斜に対して逆方向に傾斜する状態となる。
【００６１】
図１４、図１５に於いて、前記正面渦防止板３９の作用について説明する。
【００６２】
前記正面渦防止板３９は、下流に向って流れる表流を急激に堰止める。堰止められた表流は前記正面渦防止板３９に沿って潜込み、更に前記吸込みベル２５の上面に沿って上昇する流れとなる。
【００６３】
上記した様に、前記正面渦防止板３９と前記吸込みベル２５上面の傾斜が逆方向であるので、前記正面渦防止板３９から前記吸込みベル２５に流れる過程で流れ方向の大きな変化が生じる。この為、前記正面渦防止板３９は表流に対して大きな抵抗となり、該正面渦防止板３９への衝突で水の跳ね返りが発生し、流れを乱し、表面を波立たせる。従って、図１７で示される空気吸込み渦３の発生が防止される。
【００６４】
図１６（Ａ）、図１６（Ｂ）、図１６（Ｃ）は、実験で得られた前記横渦防止板３７、及び前記正面渦防止板３９の効果を示している。図中の枡に○が記されているのは、前記空気吸込み渦３の発生がなかったことを示し、×が記されているものは該空気吸込み渦３の発生があったことを示している。又、図中、横板１は横渦防止板３７ａ、横板２は横渦防止板３７ｂ、横板３は横渦防止板３７ｃを示し、正面板は正面渦防止板３９を示している。
【００６５】
図１６（Ａ）は、前記横渦防止板３７、前記正面渦防止板３９を設けない場合の水位と渦の発生との関係を示すものである（図４参照）。
【００６６】
前記横渦防止板３７、正面渦防止板３９のいずれも設けない場合は、水位が６００ｍｍより下がると有害な空気吸込み渦が発生している。
【００６７】
図１６（Ｂ）は、前記横渦防止板３７を設けた場合を示しており、該横渦防止板３７を設けた場合は、水位が４８０ｍｍで有害な空気吸込み渦が発生している。即ち、前記横渦防止板３７を設けることで、１２０ｍｍ水位が低下する迄、前記水中ポンプ１６の運転が可能となった。
【００６８】
又、図１６（Ｃ）は、前記横渦防止板３７ａ，３７ｂ，３７ｃを設け、更に前記正面渦防止板３９を設けた場合で、該正面渦防止板３９の角度をα＝７０°，３０°，０°，とした場合の渦の発生の状態を示している。
【００６９】
図１６（Ｃ）の結果と図１６（Ａ）の結果とを比較することで明らかな様に、いずれの場合も、有害な空気吸込み渦が発生する水位は低下し、前記横渦防止板３７、前記正面渦防止板３９の渦発生抑制効果が確認することができる。特に、該正面渦防止板３９の角度が０°、前記横渦防止板３７ａが設けられた場合に、水位が４３０ｍｍの場合でも尚有害な前記空気吸込み渦３が発生していなく、大きな渦発生抑制効果が得られることが分る。
【００７０】
又、前記正面渦防止板３９がα＝７０°で、横渦防止板３７ａ、横渦防止板３７ｂの場合で、水位６００ｍｍの時、及び前記正面渦防止板３９がα＝３０°で横渦防止板３７ｂの場合で水位６００ｍｍ，５５０ｍｍの時にそれぞれ渦が発生したが、軽微なものであり、実用上差支えないものであった。
【００７１】
前記水中ポンプ１６の運転については、図１に於いて説明したが、前記制御装置１３に設定入力する最低水位は、図１６（Ｃ）の正面渦防止板３９の角度α＝７０°の場合では４７５ｍｍであり、本川５の水位が支川６の水位より高い場合で、支川６の水位が４７５ｍｍとなった場合に、前記水中ポンプ１６の運転が中止され、支川６の水位が４７５ｍｍを越えた場合に、前記水中ポンプ１６の運転が行われる。尚、図１６で示す数値は、一例であり、支川６の規模、ポンプゲートの規模により異なることは言う迄もない。
【００７２】
尚、前記扉体１５に設けられる前記水中ポンプ１６の数は２組に限らず、３組の場合も考えられ、この場合前記横渦防止板３７はそれぞれの前記水中ポンプ１６の間に設けられる。又、上記実施の形態では前記横渦防止板３７が、前記水中ポンプ１６，１６間に設けられたが、その他にも渦の発生する箇所に渦の延長を横断又は遮断する様に、又流れを攪乱する様に設けてもよい。
【図面の簡単な説明】
【００７３】
【図１】本発明の実施の形態に係るポンプゲートを設備したポンプゲート設備の概略図である。
【図２】水中ポンプの一例を示す概略断面図である。
【図３】ポンプゲートに於ける渦の発生を示す説明図である。
【図４】水中ポンプの側断面図である。
【図５】水中ポンプの吸込み口に発生する渦についての説明図である。
【図６】水中ポンプの吸込み口に発生する渦についての説明図である。
【図７】水中ポンプの吸込み口に達する空気吸込み渦の発生範囲についての説明図である。
【図８】水中ポンプの吸込み口に達する空気吸込み渦の発生範囲と横渦防止板との関係を示す説明図である。
【図９】本発明の実施の形態を示す平面図である。
【図１０】図９のＡ−Ａ矢視図である。
【図１１】本発明の実施の形態を示す正面図である。
【図１２】本発明の他の実施の形態を示す平面図である。
【図１３】本発明の更に他の実施の形態を示す平面図である。
【図１４】本発明に於ける正面渦防止板の作用を示す説明図である。
【図１５】本発明に於ける正面渦防止板の作用を示す部分拡大説明図である。
【図１６】本発明に於ける渦の発生抑止効果を示す図である。
【図１７】従来例に於ける空気吸込み渦の発生を示す説明図である。
【符号の説明】
【００７４】
３                空気吸込み渦
５                本川
６                支川
７                合流口
１２              ゲート開閉装置
１３              制御装置
１４              本川用水位計
１５              扉体
１６              水中ポンプ
１７              支川用水位計
２３              ポンプモータ
２５              吸込みベル
２６              吸込み口
２８，２９，３０  底流
３２，３３        表流
３４              渦
３７              横渦防止板
３８ａ            スリット部
３８ｂ            延出部
３９              正面渦防止板
【図１】
2005290972.tif 000003
【図２】
2005290972.tif 000004
【図３】
2005290972.tif 000005
【図４】
2005290972.tif 000006
【図５】
2005290972.tif 000007
【図６】
2005290972.tif 000008
【図７】
2005290972.tif 000009
【図８】
2005290972.tif 000010
【図９】
2005290972.tif 000011
【図１０】
2005290972.tif 000012
【図１１】
2005290972.tif 000013
【図１２】
2005290972.tif 000014
【図１３】
2005290972.tif 000015
【図１４】
2005290972.tif 000016
【図１５】
2005290972.tif 000017
【図１６】
2005290972.tif 000018
【図１７】
2005290972.tif 000019